(57)【要約】【課題】キャリアアグリゲーションにおけるセルの制御指示をセルグループ単位で行う場合において、ユーザ装置におけるバッテリーの消費を削減することを可能とする。【解決手段】キャリアアグリゲーションをサポートする移動通信システムにおいて基地局と通信を行うユーザ装置において、前記基地局から受信するメッセージに基づいて、前記キャリアアグリゲーションにおけるセルグループを設定する設定部と、前記基地局から特定のセルグループを指定したアクティブ化又は非アクティブ化のコマンドを受信した場合に、当該特定のセルグループに含まれる複数のセルを段階的にアクティブ化又は非アクティブ化する制御部とを備える。【選択図】図１１
2016123052.tif 000002
【特許請求の範囲】
【請求項１】
キャリアアグリゲーションをサポートする移動通信システムにおいて基地局と通信を行うユーザ装置であって、
前記基地局から受信するメッセージに基づいて、前記キャリアアグリゲーションにおけるセルグループを設定する設定部と、
前記基地局から特定のセルグループを指定したアクティブ化又は非アクティブ化のコマンドを受信した場合に、当該特定のセルグループに含まれる複数のセルを段階的にアクティブ化又は非アクティブ化する制御部と
を備えるユーザ装置。
【請求項２】
前記制御部は、前記特定のセルグループに含まれる各セルを所定時間間隔でアクティブ化又は非アクティブ化する
請求項１に記載のユーザ装置。
【請求項３】
前記制御部は、前記特定のセルグループに含まれる各セルをアクティブ化又は非アクティブ化する順番を示す情報を前記基地局から受信する
請求項１又は２に記載のユーザ装置。
【請求項４】
前記制御部は、前記特定のセルグループに含まれる各セルをアクティブ化又は非アクティブ化する順番を、アクティブ化遅延、セルの割り当てられた時間順、セルの品質、セルで使用するキャリアの帯域幅、又は、セルのＭＩＭＯレイヤ数に基づいて決定する
請求項１ないし３のうちいずれか１項に記載のユーザ装置。
【請求項５】
前記制御部は、前記段階的なアクティブ化又は非アクティブ化の制御を行うか否かを示す信号を前記基地局から受信し、当該信号により、前記段階的なアクティブ化又は非アクティブ化の制御を行うことが指示された場合に、前記段階的なアクティブ化又は非アクティブ化の制御を行う
請求項１ないし４のうちいずれか１項に記載のユーザ装置。
【請求項６】
前記制御部は、前記基地局から前記特定のセルグループを指定したアクティブ化又は非アクティブ化のコマンドを受信し、更に前記基地局から前記特定のセルグループを指定したアクティブ化又は非アクティブ化のコマンドを受信した場合に、当該特定のセルグループに含まれる複数のセルを同時にアクティブ化又は非アクティブ化する
請求項１ないし５のうちいずれか１項に記載のユーザ装置。
【請求項７】
前記設定部は、前記基地局から受信するメッセージに基づいて、前記キャリアアグリゲーションにおけるセルとセルグループ間のマッピングを複数設定し、
前記制御部は、前記基地局から特定のマッピングと特定のセルグループを指定したアクティブ化又は非アクティブ化のコマンドを受信した場合に、当該マッピングにおける当該特定のセルグループに含まれる複数のセルを段階的にアクティブ化又は非アクティブ化する
請求項１ないし６のうちいずれか１項に記載のユーザ装置。
【請求項８】
キャリアアグリゲーションをサポートする移動通信システムにおいて基地局と通信を行うユーザ装置が実行するセル制御方法であって、
前記基地局から受信するメッセージに基づいて、前記キャリアアグリゲーションにおけるセルグループを設定する設定ステップと、
前記基地局から特定のセルグループを指定したアクティブ化又は非アクティブ化のコマンドを受信した場合に、当該特定のセルグループに含まれる複数のセルを段階的にアクティブ化又は非アクティブ化する制御ステップと
を備えるセル制御方法。
【請求項９】
キャリアアグリゲーションをサポートするユーザ装置と基地局とを有する移動通信システムにおけるセル制御方法であって、
前記基地局が、前記キャリアアグリゲーションにおけるセルグループを設定するためのメッセージを前記ユーザ装置に送信するステップと、
前記基地局が、特定のセルグループを指定したアクティブ化又は非アクティブ化のコマンドを前記ユーザ装置に送信するステップと、
前記ユーザ装置が、前記特定のセルグループに含まれる複数のセルを段階的にアクティブ化又は非アクティブ化するステップと
を備えるセル制御方法。
【発明の詳細な説明】
【技術分野】
【０００１】
本発明は、ユーザ装置が基地局と通信を行うように構成される移動通信システムに関連するものである。
【背景技術】
【０００２】
ＬＴＥシステムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌは、ＰＣｅｌｌに追加されてユーザ装置ＵＥに対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【０００５】
図１に示すように、ＬＴＥのＲｅｌ−１０のＣＡでは、同一基地局ｅＮＢ配下の複数のＣＣを用いている。また、Ｒｅｌ−１０のＣＡでは、例えば図２に示すように、最大で５つのＣＣを束ねることで、広帯域化により高速なデータレートを実現している。また、Ｒｅｌ−１１では、Ｉｎｔｅｒ−ｂａｎｄ  ＣＡを行うＣＣ間で独立かつ異なるタイミング制御を可能とするＭｕｌｔｉｐｌｅ  ＴＡ（ＭＴＡ）を導入し、Ｎｏｎ−ｃｏ−ｌｏｃａｔｅｄなＣＣによるＣＡの最適化を実現している。例えば、図３には、タイミング制御を行う単位であるＴＡＧ（Ｔｉｍｉｎｇ  Ａｄｖａｎｃｅ  Ｇｒｏｕｐ）が２つ（ＴＡＧ＃１、ＴＡＧ＃２）割り当てられていることが示されている。
【０００６】
一方、Ｒｅｌ−１２では、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献１）。つまり、Ｄｕａｌ  ｃｏｎｎｅｃｔｉｖｉｔｙでは、ＵＥは、２つの物理的に異なる基地局ｅＮＢの無線リソースを同時に使用して通信を行う。
【０００７】
Ｄｕａｌ  ｃｏｎｎｅｃｔｉｖｉｔｙはＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図４に、Ｄｕａｌ  ｃｏｎｎｅｃｔｉｖｉｔｙの例を示す。図４の例では、ＭｅＮＢがＣＣ＃１でユーザ装置ＵＥと通信を行い、ＳｅＮＢがＣＣ＃２でユーザ装置ＵＥと通信を行うことでＤｕａｌ  ｃｏｎｎｅｃｔｉｖｉｔｙ（以下、ＤＣ）を実現している。
【０００８】
ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。
【０００９】
例えば、図５には、ＣＧ＃１にＴＡＧ＃１、ＴＡＧ＃２が設定され、ＣＧ＃２にＴＡＧ＃３が設定されている例が示されている。
【先行技術文献】
【非特許文献】
【００１０】
【非特許文献１】３ＧＰＰ  ＴＲ  ３６．８４２  Ｖ１２．０．０  （２０１３−１２）
【発明の概要】
【発明が解決しようとする課題】
【００１１】
従来のＬＴＥの仕様では、ＵＥあたりＣｏｎｆｉｇｕｒｅ可能なＣＣの数は、最大で５である。
【００１２】
一方、Ｒｅｌ．１３のＬＴＥでは、より柔軟かつ高速な無線通信を実現するため、及び、連続する超広帯域のアンライセンスバンドで、多数のＣＣを束ねられるようにするために、ＣＡにおいて束ねられる最大５ＣＣの制限を取るＣＡ  ｅｎｈａｎｃｅｍｅｎｔが検討されている。例えば、最大で３２ＣＣを束ねるＣＡが検討されている。一例として、図６に、１６ＣＣを束ねる例を示す。
【００１３】
上記のように、ＣＡでサポートするＣＣの数を増加させることで、アクティブ化／非アクティブ化コマンドのビット数を増加させる必要がある等のインパクトが生じる。このようなインパクトを低減するために、複数のＣＣ（セル）をいくつかのセルグループ（ＣＧ）にマッピングしてＣＧ単位でアクティブ化／非アクティブ化の制御を行うことが検討されている。
【００１４】
図７の例では、ＣＧ＃０とＣＧ＃１がアクティブ化（Ａｃｔｉｖａｔｅｄ）されていることが示されている。ＣＧとＣＣとを一対一対応でセミスタティックに（又はスタティックに）マッピングし、ＣＧ毎にＣＣを制御する場合、以下で説明するような課題がある。なお、以下では、ＣＧに含まれるものをセル（例：ＳＣｅｌｌ）とする。各セルは、例えば、１つのＣＣ、もしくは、下りＣＣと上りＣＣとの組とからなるが、以下の説明では、各セルはＣＣと同義と考えてよい。
【００１５】
まず、第１の課題について説明する。上記のように、セルの制御をＣＧの粒度で行う場合、細やかな制御を行うことができず、セル単位での制御と比較して運用の柔軟性やバッテリーセービング、スループット向上効果が劣化する可能性がある。
【００１６】
図８に示すように、セルを４つずつＣＧにマッピングする場合において、例えばセル＃０のみをアクティブ化（Ａｃｔｉｖａｔｅ）させたい場合においても、ＣＧ単位でしか制御できないため、ステップ１で示すＣＧ＃０を指定したアクティブ化コマンドにより、４つのセルがアクティブ化されてしまう。従って、バッテリーを浪費する可能性がある。
【００１７】
次に、第２の課題を説明する。上記のように、ＣＧとセルとのマッピングが１つのみでセミスタティックに行われる場合、あるＣＧに対するアクティブ化／非アクティブ化は、当該ＣＧにマッピングされた決まったセルのみにしか行うことができない。
【００１８】
一例として、図９に示すように、ＲＲＥ（光張出し無線装置、Ｒｅｍｏｔｅ  Ｒａｄｉｏ  Ｅｑｕｉｐｍｅｎｔ）の単位でＣＧが設定されている状態で、セルを非アクティブ化（Ｄｅａｃｔｉｖａｔｉｏｎ）するケースを考える。セルを非アクティブ化するケースとして、例えば、セルが混雑するケースや、或いは、送信するデータが少なくなり、多数のセルをアクティブ化しておく必要がなくなったケース等がある。
【００１９】
あるセル（例：セル＃０）が混雑するようなケースでは、同一ＲＲＥにおける他のセル（例：セル＃１）も混雑している可能性があるため、図９に示すようなＲＲＥ単位のマッピングでＣＧ毎に非アクティブ化を行うことは好ましいと考えられる。
【００２０】
しかし、送信するデータが少なくなるようなケースでは、できるだけ広帯域のＣＣ（より周波数の高いＣＣ）のセル（例：セル＃０とセル＃２）を残し、帯域の比較的狭いＣＣのセル（例：セル＃１とセル＃３）を非アクティブ化することが好ましいところ、図９に示すＣＧ−セルのマッピングでは、このような制御を行うことができない。
【００２１】
すなわち、セル−ＣＧの適切なマッピングはダイナミックに変わり得るが、上記のようなセミスタティックなマッピング方法では柔軟な制御を行うことができない。
【００２２】
本発明は特に上記の第１の課題に鑑みてなされたものであり、キャリアアグリゲーションにおけるセルの制御指示をセルグループ単位で行う場合において、ユーザ装置におけるバッテリーの消費を削減することを可能とする技術を提供することを目的とする。
【課題を解決するための手段】
【００２３】
本発明の実施の形態によれば、キャリアアグリゲーションをサポートする移動通信システムにおいて基地局と通信を行うユーザ装置であって、
前記基地局から受信するメッセージに基づいて、前記キャリアアグリゲーションにおけるセルグループを設定する設定部と、
前記基地局から特定のセルグループを指定したアクティブ化又は非アクティブ化のコマンドを受信した場合に、当該特定のセルグループに含まれる複数のセルを段階的にアクティブ化又は非アクティブ化する制御部と
を備えるユーザ装置が提供される。
【００２４】
また、本発明の実施の形態によれば、キャリアアグリゲーションをサポートする移動通信システムにおいて基地局と通信を行うユーザ装置が実行するセル制御方法であって、
前記基地局から受信するメッセージに基づいて、前記キャリアアグリゲーションにおけるセルグループを設定する設定ステップと、
前記基地局から特定のセルグループを指定したアクティブ化又は非アクティブ化のコマンドを受信した場合に、当該特定のセルグループに含まれる複数のセルを段階的にアクティブ化又は非アクティブ化する制御ステップと
を備えるセル制御方法が提供される。
【００２５】
また、本発明の実施の形態によれば、キャリアアグリゲーションをサポートするユーザ装置と基地局とを有する移動通信システムにおけるセル制御方法であって、
前記基地局が、前記キャリアアグリゲーションにおけるセルグループを設定するためのメッセージを前記ユーザ装置に送信するステップと、
前記基地局が、特定のセルグループを指定したアクティブ化又は非アクティブ化のコマンドを前記ユーザ装置に送信するステップと、
前記ユーザ装置が、前記特定のセルグループに含まれる複数のセルを段階的にアクティブ化又は非アクティブ化するステップと
を備えるセル制御方法が提供される。
【発明の効果】
【００２６】
本発明の実施の形態によれば、キャリアアグリゲーションにおけるセルの制御指示をセルグループ単位で行う場合において、ユーザ装置におけるバッテリーの消費を削減することが可能となる。
【図面の簡単な説明】
【００２７】
【図１】Ｒｅｌ−１０ＬＴＥのＣＡを説明するための図である。
【図２】Ｒｅｌ−１０ＬＴＥにおいてＣＣを束ねる例を示す図である。
【図３】Ｒｅｌ−１１ＬＴＥにおいてＣＣを束ねる例を示す図である。
【図４】Ｒｅｌ−１２で導入されたＤｕａｌ  ｃｏｎｎｅｃｔｉｖｉｔｙの例を示す図である。
【図５】Ｒｅｌ−１２ＬＴＥにおいてＣＣを束ねる例を示す図である。
【図６】Ｒｅｌ−１３ＬＴＥにおいてＣＣを束ねる例を示す図である。
【図７】セルグループ単位の制御を説明するための図である。
【図８】第１の課題を説明するための図である。
【図９】第２の課題を説明するための図である。
【図１０】本発明の実施の形態におけるシステムの構成図である。
【図１１】第１の実施の形態における処理の概要を説明するための図である。
【図１２】コマンドの例を示す図である。
【図１３】段階的にアクティブ化される場合の例を示す図である。
【図１４】段階的に非アクティブ化される場合の例を示す図である。
【図１５】アクティブ化（非アクティブ化）する順番を指定する例を説明するための図である。
【図１６】指示に応じて段階的制御を行うか否かを決める場合の例を説明するための図である。
【図１７】第１の実施の形態におけるユーザ装置ＵＥの構成図である。
【図１８】第１の実施の形態における基地局ｅＮＢの構成図である。
【図１９】第２の実施の形態における処理の概要を説明するための図である。
【図２０】第２の実施の形態におけるシーケンス例を示す図である。
【図２１】ユーザ装置ＵＥに設定される複数のマッピングの例を示す図である。
【図２２】アクティブ化（又は非アクティブ化）を指示する信号の例を示す図である。
【図２３】１つのセルが複数のＣＧにマッピングされる場合の例を示す図である。
【図２４】第２の実施の形態におけるユーザ装置ＵＥの構成図である。
【図２５】第２の実施の形態における基地局ｅＮＢの構成図である。
【発明を実施するための形態】
【００２８】
以下、図面を参照して本発明の実施の形態を説明する。なお、以下で説明する実施の形態は一例に過ぎず、本発明が適用される実施の形態は、以下の実施の形態に限られるわけではない。本実施の形態では、ＬＴＥの移動通信システムを対象とするが、本発明はＬＴＥに限らず他の移動通信システムにも適用可能である。また、本実施の形態では、ＣＧに含まれるセルはＳＣｅｌｌであることを想定しているが、ＰＣｅｌｌについてもアクティブ化／非アクティブ化の制御を行えるようにするために、ＣＧに含まれるセルはＳＣｅｌｌに限定されず、ＰＣｅｌｌが含まれていてもよい。ＣＧに含まれるセルのことをサービングセル（ｓｅｒｖｉｎｇ  ｃｅｌｌ）と称してもよい。また、本明細書及び特許請求の範囲における「ＬＴＥ」の３ＧＰＰ規格書のリリースは、ＣＡにおける「セルグループ」が導入されているリリースであるものとするが、これに限定されるわけではない。
【００２９】
（システム全体構成）
図１０に、本発明の実施の形態（第１の実施の形態と第２の実施の形態に共通）における通信システムの構成図を示す。図１０に示すように、本実施の形態における通信システムは、基地局ｅＮＢとユーザ装置ＵＥとを含む移動通信システムである。基地局ｅＮＢとユーザ装置ＵＥとでＣＡ通信を行うことが可能である。図１では、基地局ｅＮＢとユーザ装置ＵＥはそれぞれ１つずつ示されているが、これは図示の便宜上のものであり、それぞれ複数存在してもよい。
【００３０】
また、図１０の例では、１つのセルが示されているが、これも図示の便宜上のものであり、ＣＡが設定される際には複数のセルが存在する。また、例えば、基地局ｅＮＢから離れた場所に、基地局ｅＮＢと光ファイバ等で接続されるＲＲＥが備えられる構成であってもよい。また、複数の基地局ｅＮＢを備えるＤｕａｌ  Ｃｏｎｎｅｃｔｉｖｉｔｙの構成であってもよい。Ｄｕａｌ  Ｃｏｎｎｅｃｔｉｖｉｔｙを対象とする場合、ユーザＵＥにＲＲＣメッセージ等を送信する基地局ｅＮＢは、ＭｅＮＢであることを想定しているが、これに限られるわけではない。
【００３１】
以下、前述した第１の課題に対応する第１の実施の形態と、第２の課題に対応する第２の実施の形態について説明する。以下では、第１の実施の形態と第２の実施の形態とを分けて説明するが、第１の実施の形態と第２の実施の形態とを組み合わせて実施することも可能である。すなわち、第１の実施の形態で説明するユーザ装置ＵＥは、第２の実施の形態で説明するユーザ装置ＵＥの機能を含んでもよく、第２の実施の形態で説明するユーザ装置ＵＥは、第１の実施の形態で説明するユーザ装置ＵＥの機能を含んでもよい。また、第１の実施の形態で説明する基地局ｅＮＢは、第２の実施の形態で説明する基地局ｅＮＢの機能を含んでもよく、第２の実施の形態で説明する基地局ｅＮＢは、第１の実施の形態で説明する基地局ｅＮＢの機能を含んでもよい。
【００３２】
（第１の実施の形態）
＜基本的な処理例＞
図１１は、第１の実施の形態における処理の概要を説明するための図である。図１１のステップ１０１において、基地局ｅＮＢからユーザ装置ＵＥへＲＲＣメッセージ（例：ＲＲＣＣｏｎｎｅｃｔｉｏｎＲｅｃｏｎｆｉｇｕｒａｔｉｏｎ）が送信され、ユーザ装置ＵＥに１つ又は複数のＣＧ（各ＣＧは１つ又は複数のセルからなる）からなるＣＡが設定（ｃｏｎｆｉｇｕｒｅ）される。
【００３３】
図１１のステップ１０２において、基地局ｅＮＢは、例えばＭＡＣ信号（ＭＡＣ  Ｃｏｎｔｒｏｌ  Ｅｌｅｍｅｎｔ）により、特定のＣＧを指定して、アクティブ化コマンド（又は非アクティブ化コマンド）をユーザ装置ＵＥに送信する。
【００３４】
アクティブ化コマンド（又は非アクティブ化コマンド）を受信したユーザ装置ＵＥは、当該ＣＧにマッピングされている全てのセルを同時にアクティブ化（又は非アクティブ化）するのではなく、段階的にアクティブ化（又は非アクティブ化）する（ステップ１０３）。
【００３５】
図１１のステップ１０２において基地局ｅＮＢからユーザ装置ＵＥに送信されるコマンド（ＭＡＣ信号）の例を図１２に示す。図１２に示す例では、ビットの位置がＣＧに対応している。例えば、最初のビットがＣＧ＃０に対するコマンドに対応し、２番目のビットがＣＧ＃１に対するコマンドに対応する。各ビットは、例えば、"１"がアクティブ化を示し、"０"が非アクティブ化を示す。ユーザ装置ＵＥは、自身に設定されているＣＧに対応するビット位置のコマンドに従って当該ＣＧの制御を行い、自身に設定されていないＣＧに対応するビット位置のコマンドは無視してよい。なお、図１２に示すフォーマットは一例に過ぎず、他のフォーマットを用いることとしてもよい。また、アクティブ化／非アクティブ化の信号として、ＰＤＣＣＨ等の物理チャネルの制御情報（ＤＣＩ）を用いてもよい。その場合のフォーマットは図１２と同様のフォーマットであってもよいし、別のフォーマットでもよい。
【００３６】
段階的にアクティブ化（又は非アクティブ化）するとは、例えば、所定時間間隔で順番に各セルをアクティブ化（又は非アクティブ化）することである。
【００３７】
図１３、図１４を参照して具体例を説明する。図１３、図１４のいずれの場合も、ユーザ装置ＵＥにおいて、既にＣＧ＃０としてセル＃０〜セル＃３が設定され、ＣＧ＃１としてセル＃４〜セル＃７が設定され、ＣＧ＃２としてセル＃８〜セル＃１１が設定されているものとする。この例では、セルの番号（インデックス）の小さい順番でアクティブ化（又は非アクティブ化）が行われる場合の例を示している。
【００３８】
図１３は、ＣＧ＃０、ＣＧ＃１、ＣＧ＃２における各セルが非アクティブの状態において、ユーザ装置ＵＥがＣＧ＃０を指定したアクティブ化コマンドを受信した場合を示している。ステップ１１において、ＣＧ＃０を指定したアクティブ化コマンドを受信したユーザ装置ＵＥは、まず、セル＃０をアクティブ化し、所定時間間隔で段階的にセル＃１、セル＃２、セル＃３をアクティブ化する。
【００３９】
図１３の例では、非アクティブ化については、指定したＣＧに含まれる複数セルを同時に非アクティブ化することとしている。従って、ステップ１２で、ＣＧ＃０を指定した非アクティブ化コマンドを受信したユーザ装置ＵＥは、セル＃０〜セル＃３を同時に非アクティブ化する。また、例えば、セル＃０とセル＃１をアクティブ化した後、セル＃２をアクティブ化する前に、ＣＧ＃０を指定した非アクティブ化コマンドを受信した場合には、セル＃２をアクティブ化することなくセル＃０とセル＃１を非アクティブ化する。
【００４０】
上記のような段階的な制御を行うことで、例えば、セル＃０、＃１がアクティブ化された後、セル＃２がアクティブ化される前に、基地局ｅＮＢの下りバッファに蓄積されていたデータの送信（図１３の点線）が完了した場合、そこで非アクティブ化させることで、必要最小限のセルをアクティブ化させることとなり、バッテリーの浪費を回避できる。
【００４１】
なお、図１３に示す例において、例えば、セル＃０とセル＃１をアクティブ化した後、セル＃２をアクティブ化する前に、ユーザ装置ＵＥが基地局ｅＮＢから再度ＣＧ＃０を指定したアクティブ化コマンドを受信した場合には、当該アクティブ化コマンド受信を契機として、ＣＧ＃０における全てのセルを同時にアクティブ化することとしてもよい。このケースは、例えば、送るべき下りデータが大量に発生した場合に相当する。
【００４２】
図１４は、ＣＧ＃０のみがアクティブの状態において、ユーザ装置ＵＥがＣＧ＃０を指定した非アクティブ化コマンドを受信した場合を示している。ステップ２１において、ＣＧ＃０を指定した非アクティブ化コマンドを受信したユーザ装置ＵＥは、まず、セル＃０を非アクティブ化し、所定時間間隔で段階的にセル＃１、セル＃２、セル＃３を非アクティブ化する。このような制御を行うことで、例えば、下りバッファにデータが残っていた場合や、非アクティブ化コマンドを出した直後のタイミングで少しの下りデータが発生した場合等において、これらのデータを送信してから全セルを非アクティブ化でき、少しのデータに対して全セルのアクティブ状態を継続させる場合に比べてバッテリー消費を削減できる。
【００４３】
図１４に示す例において、例えば、セル＃０とセル＃１を非アクティブ化した後、セル＃２を非アクティブ化する前に、ユーザ装置ＵＥが基地局ｅＮＢから再度ＣＧ＃０を指定した非アクティブ化コマンドを受信した場合には、当該非アクティブ化コマンド受信を契機として、ＣＧ＃０における全てのセルを同時に非アクティブ化することとしてもよい。
【００４４】
なお、図１３、図１４は、段階的な制御の例として、セルを１つずつアクティブ化／非アクティブ化する例を示しているが、段階的な制御の例として、複数セルを単位として（例：２つずつ）順番にアクティブ化／非アクティブ化することとしてもよい。
【００４５】
＜アクティブ化／非アクティブ化する順番について＞
あるＣＧに対するアクティブ化（又は非アクティブ化）のコマンドを受信したユーザ装置ＵＥが、当該ＣＧの中のセルをアクティブ化（又は非アクティブ化）する順番については、例えば、セルのインデックス（番号）の昇順／降順のように固定的に定められていてもよいし、ＲＲＣメッセージで設定することとしてもよい。
【００４６】
図１５は、セルをアクティブ化（又は非アクティブ化）する順番をＲＲＣメッセージで指定する場合のシーケンス例を示す図である。
【００４７】
図１５に示すように、ステップ２０１において、ＲＲＣメッセージが基地局ｅＮＢからユーザ装置ＵＥに送信される。当該ＲＲＣメッセージは、例えば、ＣＡ（ＣＧ）を設定するためのＲＲＣメッセージであり、その中に、ＣＧ毎に、セルのアクティブ化（又は非アクティブ化）を行う順番を指定する情報が含まれている。
【００４８】
一例として、ＣＡのために設定するＣＧがＣＧ＃０（セル＃０、セル＃１、セル＃２を含む）と、ＣＧ＃１（セル＃３、セル＃４、セル＃５を含む）である場合に、例えば、順番を指定する情報として、ＣＧ＃０については「セル＃１、セル＃０、セル＃２の順番でアクティブ化（又は非アクティブ化）する」、ＣＧ＃１については「セル＃５、セル＃４、セル＃３の順番でアクティブ化（又は非アクティブ化）する」といった情報がＲＲＣメッセージに含まれる。
【００４９】
ユーザ装置ＵＥは、特定のＣＧを指定したアクティブ化（又は非アクティブ化）コマンドを受信し（ステップ２０２）、当該ＣＧに対して指定された順番でセルのアクティブ化（又は非アクティブ化）を実行する（ステップ２０３）。
【００５０】
コマンドを受けたＣＧに含まれるセルをアクティブ化する順番は、上記の例に限られず、例えば、アクティブ化する遅延が短い（あるいは長い）順番でもよいし、最も最近に（あるいは最も過去に）割り当てられた順番でもよいし、品質のよい（あるいは悪い）順番でもよいし、セルのＣＣの帯域の広い（あるいは狭い）順番でもよいし、対応しているＭＩＭＯレイヤの多い（あるいは少ない）順番でもよい。これらの順番は、非アクティブ化でも同様に適用できる。
【００５１】
例えば、アクティブ化（又は非アクティブ化）遅延が短い順番で、ＣＧ＃０に含まれるセル＃０〜セル＃３をアクティブ化（又は非アクティブ化）する場合に関して、ユーザ装置ＵＥは、セル毎にアクティブ化（又は非アクティブ化）遅延の情報を保持しており、当該情報を参照することでセル＃０〜セル＃３を段階的にアクティブ化（又は非アクティブ化）する。
【００５２】
また、最も最近割り当てられた順番で、ＣＧ＃０に含まれるセル＃０〜セル＃３をアクティブ化（又は非アクティブ化）する場合に関して、例えば、時間の経過順に、セル＃１、セル＃０、セル＃３、セル＃２の順番でＣＧ＃０に含まれるセルとしての割り当て（設定）が行われた場合、ユーザ装置ＵＥは、セル＃２、セル＃３、セル＃０、セル＃１の順番でアクティブ化（又は非アクティブ化）する。
【００５３】
上記の逆で、割り当てられた時間の順番で、アクティブ化（又は非アクティブ化）することとしてもよい。その場合、セル＃１、セル＃０、セル＃３、セル＃２の順番でアクティブ化（又は非アクティブ化）する。
【００５４】
また、品質の良い順番で、ＣＧ＃０に含まれるセル＃０〜セル＃３をアクティブ化する場合に関して、ユーザ装置ＵＥは、セル毎に品質の情報を保持しており、当該情報を参照することでセル＃０〜セル＃３を段階的にアクティブ化する。また、非アクティブ化に関しては、品質の悪い順番で非アクティブ化することとしてもよい。また、ＭＩＭＯレイヤの多い順番でアクティブ化し、ＭＩＭＯレイヤの少ない順番で非アクティブ化することとしてもよい。
【００５５】
なお、特にアクティブ化に着目する場合、期待されるスループットが大きい順番でアクティブ化を行うこととしてよい。
【００５６】
また、上記の基準のうち、どの基準を用いてセルのアクティブ化／非アクティブ化の順番を決定するかを基地局ｅＮＢからユーザ装置ＵＥに指定することとしてもよい。
【００５７】
＜段階的制御の実施判断について＞
ユーザ装置ＵＥは、基地局ｅＮＢから、アクティブ化／非アクティブ化の段階的制御を行うことの指示を受けた場合にのみ段階的制御を行うこととしてもよい。
【００５８】
この場合のシーケンス例を図１６に示す。図１６に示すシーケンスにおける前提として、ユーザ装置ＵＥには既にＣＧ（複数のセル）が設定されているものとする。
【００５９】
ステップ３０１において、ユーザ装置ＵＥは基地局ｅＮＢから段階的制御を行うか否かを示す信号を受信する。なお、ユーザ装置ＵＥは基地局ｅＮＢから、段階的制御を行うことを指示する信号を受信し、段階的制御を行わない場合には当該信号を受信しないこととしてもよい。ステップ３０１における当該信号は、ＲＲＣメッセージであってもよいし、ＭＡＣ信号であってもよいし、物理信号（ＰＤＣＣＨ等）であってもよい。
【００６０】
ユーザ装置ＵＥは、特定のＣＧを指定したアクティブ化（又は非アクティブ化）コマンドを基地局ｅＮＢから受信し（ステップ３０２）、ステップ３０１の信号で段階的にＣＧ内のセルをアクティブ化（又は非アクティブ化）することが指示されているかどうか判断する（ステップ３０３）。
【００６１】
ステップ３０３での判断がＹｅｓである場合、ユーザ装置ＵＥはＣＧ内のセルを段階的にアクティブ化（又は非アクティブ化）する（ステップ３０４）。ステップ３０３での判断がＮｏである場合、ユーザ装置ＵＥはＣＧ内のセルを同時にアクティブ化（又は非アクティブ化）する（ステップ３０５）。
【００６２】
上記ステップ３０１において、段階的制御を行うか否かを、アクティブ化と非アクティブ化について１つの指示でまとめて指示してもよいし、アクティブ化と非アクティブ化について別々に指示してもよい。例えば、アクティブ化については段階的制御を行い、非アクティブ化については段階的制御を行わない、という指示が可能である。また、ステップ３０１での指示は、ＵＥ単位でもよいし、ＧＣ単位でもよい。ＣＧ単位の場合、例えば、ＣＧ＃０が指定されたアクティブ化（又は非アクティブ化）の場合は段階的制御を行い、ＣＧ＃１が指定されたアクティブ化（又は非アクティブ化）の場合は段階的制御を行わない、という指示が可能である。
【００６３】
＜装置構成例＞
図１７に、本実施の形態に係るユーザ装置ＵＥの機能構成図を示す。図１７に示すように、ユーザ装置ＵＥは、ＤＬ信号受信部１０１、ＵＬ信号送信部１０２、ＲＲＣ（無線リソース制御）処理部１０３、アクティブ化／非アクティブ化制御部１０４を含む。図１７は、ユーザ装置ＵＥにおいて本発明の実施の形態に特に関連する機能部のみを示すものであり、少なくともＬＴＥに準拠した動作を行うための図示しない機能も有するものである。また、図１７に示す機能構成は一例に過ぎない。本実施の形態に係る動作を実行できるのであれば、機能区分や機能部の名称はどのようなものでもよい。
【００６４】
ＤＬ信号受信部１０１は、基地局ｅＮＢから各種の信号を無線受信し、受信した物理レイヤの信号からより上位のレイヤの信号を取得する機能を含む。ＵＬ信号送信部１０２は、ユーザ装置ＵＥから送信されるべき上位のレイヤの信号から、物理レイヤの各種信号を生成し、無線送信する機能を含む。ＤＬ信号受信部１０１及びＵＬ信号送信部１０２はそれぞれ、複数のＣＣを束ねて通信を行うＣＡを実行する機能を含む。
【００６５】
ＤＬ信号受信部１０１とＵＬ信号送信部１０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【００６６】
ＲＲＣ処理部１０３は、基地局ｅＮＢとの間でＲＲＣメッセージの送受信を行うとともに、ＣＧとセルのマッピング情報等を含むＣＡ情報の設定／変更／管理、構成変更等の処理を行う機能を含む。ＲＲＣ処理部１０３は、ＣＡの設定を行う機能部であるので、設定部と呼んでもよい。ＲＲＣ処理部１０３が行うＣＡの設定は、例えば、ＲＲＣメッセージに含まれる設定情報（ＣＧとそれに対応する複数セル等）をメモリ等の記憶手段に格納することを含む。
【００６７】
アクティブ化／非アクティブ化制御部１０４は、図１１〜図１６等を参照してユーザ装置ＵＥ側の動作として説明したように、特定のＣＧを指定したアクティブ化（又は非アクティブ化）コマンド、段階的制御を行うか否かを指示する信号、順番を指定する情報等に従って、指定されたＣＧ内のセルを段階的にアクティブ化（又は非アクティブ化）させる制御を実行する。例えば、アクティブ化／非アクティブ化制御部１０４（又はＲＲＣ処理部１０３）は、ＣＧ毎に、セル毎にアクティブ化／非アクティブ化されているかどうかを示す情報をメモリ等の記憶手段に格納しており、これにより、アクティブ化／非アクティブ化制御部１０４は、現時点で各ＣＧの各セルの状態（アクティブ化／非アクティブ化）を把握できる。
【００６８】
なお、ユーザ装置ＵＥにおいて、セルをアクティブ化するとは、例えば、ＤＬ信号受信部１０１及び／又はＵＬ信号送信部１０２に対して、当該セルを構成するＣＣを用いて通信を行う（例：ＰＤＣＣＨ、ＰＤＳＣＨの受信を行う）ことを指示するとともに、上記の記憶手段等に、該当セルがアクティブ化されたことを示す情報を記憶することである。セルを非アクティブ化するとは、当該セルを構成するＣＣを用いた通信を停止することを指示するとともに、上記の記憶手段等に、該当セルが非アクティブ化されたことを示す情報を記憶することである。
【００６９】
図１８に、本実施の形態に係る基地局ｅＮＢの機能構成図を示す。図１８に示すように、基地局ｅＮＢは、ＵＬ信号受信部２０１、ＤＬ信号送信部２０２、ＲＲＣ処理部２０３、アクティブ化／非アクティブ化制御部２０４を含む。図１８は、基地局ｅＮＢにおいて本発明の実施の形態に特に関連する機能部のみを示すものであり、少なくともＬＴＥに準拠した動作を行うための図示しない機能も有するものである。また、図１８に示す機能構成は一例に過ぎない。本実施の形態に係る動作を実行できるのであれば、機能区分や機能部の名称はどのようなものでもよい。
【００７０】
ＵＬ信号受信部２０１は、各ＵＥから各種の信号を無線受信し、受信した物理レイヤの信号からより上位のレイヤの信号を取得する機能を含む。ＤＬ信号送信部２０２は、基地局ｅＮＢから送信されるべき上位のレイヤの信号から、物理レイヤの各種信号を生成し、無線送信する機能を含む。ＵＬ信号受信部２０１及びＤＬ信号送信部２０２はそれぞれ、複数のＣＣを束ねて通信を行うＣＡを実行する機能を含む。また、ＵＬ信号受信部２０１及びＤＬ信号送信部２０２は、ＲＲＥのように、基地局ｅＮＢの本体（制御部）から遠隔に設置された無線通信部であってもよい。
【００７１】
ＵＬ信号受信部２０１とＤＬ信号送信部２０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【００７２】
ＲＲＣ処理部２０３は、ユーザ装置ＵＥとの間でＲＲＣメッセージの送受信を行うとともに、ＣＧとセルのマッピング情報等を含むＣＡ情報の設定／変更／管理、構成変更等の処理を行う機能を含む。ＲＲＣ処理部２０３は、ＣＡの設定を行う機能部であるので、設定部と呼んでもよい。
【００７３】
アクティブ化／非アクティブ化制御部２０４は、図１１〜図１６等を参照して基地局ｅＮＢ側の動作として説明したように、特定のＣＧを指定したアクティブ化（又は非アクティブ化）コマンド、段階的制御を行うか否かを指示する信号、順番を指定する情報を、ＤＬ信号送信部２０２を介してユーザ装置ＵＥに送信する機能を含む。
【００７４】
以上説明したように、本発明の実施の形態により、キャリアアグリゲーションをサポートする移動通信システムにおいて基地局と通信を行うユーザ装置であって、前記基地局から受信するメッセージに基づいて、前記キャリアアグリゲーションにおけるセルグループを設定する設定部と、前記基地局から特定のセルグループを指定したアクティブ化又は非アクティブ化のコマンドを受信した場合に、当該特定のセルグループに含まれる複数のセルを段階的にアクティブ化又は非アクティブ化する制御部とを備えるユーザ装置が提供される。
【００７５】
上記の構成により、キャリアアグリゲーションにおけるセルの制御指示をセルグループ単位で行う場合において、ユーザ装置におけるバッテリーの消費を削減することが可能となる。
【００７６】
前記制御部は、例えば前記特定のセルグループに含まれる各セルを所定時間間隔でアクティブ化又は非アクティブ化する。この構成により、比較的簡易な制御で段階的なアクティブ化又は非アクティブ化の制御を実現できる。
【００７７】
前記制御部は、前記特定のセルグループに含まれる各セルをアクティブ化又は非アクティブ化する順番を示す情報を前記基地局から受信することとしてもよい。この構成により、ユーザ装置は、基地局からの指示に従ってアクティブ化又は非アクティブ化する順番を決定できる。
【００７８】
前記制御部は、前記特定のセルグループに含まれる各セルをアクティブ化又は非アクティブ化する順番を、アクティブ化遅延、セルの割り当てられた時間順、セルの品質、セルで使用するキャリアの帯域幅、又は、セルのＭＩＭＯレイヤ数に基づいて決定することとしてもよい。この構成により、例えば、期待できるスループットの高い順番で各セルのアクティブ化又は非アクティブ化を実施できる。
【００７９】
前記制御部は、前記段階的なアクティブ化又は非アクティブ化の制御を行うか否かを示す信号を前記基地局から受信し、当該信号により、前記段階的なアクティブ化又は非アクティブ化の制御を行うことが指示された場合に、前記段階的なアクティブ化又は非アクティブ化の制御を行うこととしてもよい。この構成により、段階的制御が必要な場合にのみ段階的制御を行うことができる。
【００８０】
前記制御部は、前記基地局から前記特定のセルグループを指定したアクティブ化又は非アクティブ化のコマンドを受信し、更に前記基地局から前記特定のセルグループを指定したアクティブ化又は非アクティブ化のコマンドを受信した場合に、当該特定のセルグループに含まれる複数のセルを同時にアクティブ化又は非アクティブ化することとしてもよい。この構成により、例えば、上り又は下りのバッファに大量のデータが存在する場合において、特定のセルグループに含まれる全てのセルをアクティブ化してデータ送信を行うことができる。
【００８１】
前記設定部は、前記基地局から受信するメッセージに基づいて、前記キャリアアグリゲーションにおけるセルとセルグループ間のマッピングを複数設定し、前記制御部は、前記基地局から特定のマッピングと特定のセルグループを指定したアクティブ化又は非アクティブ化のコマンドを受信した場合に、当該マッピングにおける当該特定のセルグループに含まれる複数のセルを段階的にアクティブ化又は非アクティブ化することとしてもよい。この構成により、セルとセルグループ間のマッピングを柔軟に変更することができる。
【００８２】
（第２の実施の形態）
＜基本的な処理例＞
次に、第２の実施の形態を説明する。第２の実施の形態は、前述した第２の課題を解決するために、セル−ＣＧのマッピング（対応関係を示す情報）を複数用意しておき、動的にマッピングを変更できるようにするものである。なお、本実施の形態においては、ｓＣｅｌｌＤｅａｃｔｉｖａｔｉｏｎＴｉｍｅｒの制御はＣＧ毎ではなく、Ｒｅｌ−１０と同様にＳＣｅｌｌ単位で管理することとなる。
【００８３】
図１９は、第２の実施の形態における処理の概要を説明するための図である。図１９の（ａ）、（ｂ）の各構成は、図９に示した構成と同様にＲＲＥからなる構成であるが、図１９の（ａ）と（ｂ）とではセル−ＣＧのマッピングが異なる。
【００８４】
すなわち、図１９（ａ）、（ｂ）に示す構成において、いずれの構成もＲＲＥ−Ａがセル＃０とセル＃１を形成し、ＲＲＥ−Ｂがセル＃２とセル＃３を形成するが、図１９（ａ）の構成では、ＣＧ＃０にセル＃０とセル＃１がマッピングされており、ＣＧ＃１にセル＃２とセル＃３がマッピングされているのに対して、図１９（ｂ）の構成では、ＣＧ＃０にセル＃１とセル＃３がマッピングされており、ＣＧ＃１にセル＃０とセル＃２がマッピングされている。
【００８５】
本実施の形態では、例えば図１９（ａ）、（ｂ）に示すように、セルとＣＧとのマッピングを複数設定しておき、これらを動的に変更可能としている。
【００８６】
このような方式を導入したことにより、例えば、セル＃０が混雑するようなケースでは、同一のＲＲＥ−Ａにおける他のセル（セル＃１）も混雑している可能性があるため、図１９（ａ）に示すマッピングの使用を基地局ｅＮＢからユーザ装置ＵＥに指示するとともに、ＣＧ＃０の非アクティブ化を行う。
【００８７】
一方、送信するデータが少なくなるようなケースでは、できるだけ広帯域のＣＣ（より周波数の高いＣＣ）のセル（本例ではセル＃０とセル＃２）を残し、帯域の比較的狭いＣＣのセル（本例ではセル＃１とセル＃３）を非アクティブ化することが好ましい。そこで、このようなケースでは、図１９（ｂ）に示すマッピングの使用を基地局ｅＮＢからユーザ装置ＵＥに指示するとともに、ＣＧ＃０の非アクティブ化を行う。
【００８８】
＜具体的な制御例＞
図２０は、第２の実施の形態におけるシーケンス例を示す。図２０を参照して具体的な制御例を説明する。
【００８９】
ステップ４０１において、ユーザ装置ＵＥは、ＣＡを設定するＲＲＣメッセージとして、セル−ＣＧの複数マッピングを設定するＲＲＣメッセージ（例：ＲＲＣＣｏｎｎｅｃｔｉｏｎＲｅｃｏｎｆｉｇｕｒａｔｉｏｎ）を基地局ｅＮＢから受信する。
【００９０】
ユーザ装置ＵＥは、どのマッピングのどのＣＧを対象とするかを指定したアクティブ化（又は非アクティブ化）コマンドを基地局ｅＮＢから受信し（ステップ４０２）、当該コマンドで指示されたマッピングにおける指示されたＣＧをアクティブ化（又は非アクティブ化）する（ステップ４０３）。なお、前述したとおり、第１の実施の形態と第２の実施の形態は組み合わせることができ、ステップ４０３において、第１の実施の形態で説明したように、ＣＧ内の各セルを段階的にアクティブ化（又は非アクティブ化）してもよい。
【００９１】
図２１に、上記ステップ４０１でのＲＲＣメッセージに含まれ、ユーザ装置ＵＥに設定（記憶）される複数マッピングの例を示す。図２１に示す例では、各マッピングにインデックスが割り当てられており、３つのマッピング＃０〜＃２が設定される。各マッピングは、３つのＣＧを含み、各ＣＧには４つのセルが割り当てられている。
【００９２】
なお、図２１に示すマッピングの情報に関し、１つのマッピングの情報（例：マッピング＃０に対応する、ＣＧインデックス毎のセルインデックス）は、第１の実施の形態におけるユーザ装置ＵＥのＲＲＣ処理部１０３で管理されるマッピングの情報に相当する。
【００９３】
ステップ４０２におけるアクティブ化（又は非アクティブ化）の指示は、ＭＡＣ信号で行ってもよいし、物理信号（ＰＤＣＣＨ等）で行ってもよい。
【００９４】
図２０のステップ４０２において基地局ｅＮＢからユーザ装置ＵＥに送信されるコマンド（例：ＭＡＣ信号）のビット列の例を図２２に示す。図２２に示す例では、ビット列の前半のビットの位置がマッピング指示に対応し、後半のビットの位置がＣＧ指示に対応している。例えば、前半部分の最初のビットがマッピング＃０の使用／非使用に対応し、前半部分の２番目のビットがマッピング＃１の使用／非使用に対応する。例えば、ビットの値"１"が、該当するマッピングの使用を指示することに相当し、"０"が非使用を指示することに相当する。また、後半部分の最初のビットがＣＧ＃０に対するコマンドに対応し、２番目のビットがＣＧ＃１に対するコマンドに対応する。後半部分の各ビットは、例えば、"１"がアクティブ化を示し、"０"が非アクティブ化を示す。ユーザ装置ＵＥは、自身に設定されているマッピング／ＣＧに対応するビット位置の値に従って当該マッピングのＣＧの制御を行い、自身に設定されていないマッピング／ＣＧに対応するビット位置の値は無視してよい。
【００９５】
なお、図２２に示すフォーマットは一例に過ぎず、他のフォーマットを使用してもよい。
【００９６】
図２１に示す例において、各マッピングはアクティブ化と非アクティブ化のいずれにも使用することができる。また、マッピング毎にアクティブ化と非アクティブ化のいずれか一方のみに使用することを指定することとしてもよい。言い換えると、マッピングをアクティブ化用と非アクティブ化用に個別に用意することとしてもよい。この場合、例えば、基地局ｅＮＢからユーザ装置ＵＥに対して図２１に示す３つのマッピングを設定する際に、マッピング毎にアクティブ化と非アクティブ化のいずれに使用するかを指定する情報が付される。何も情報が付されない場合、アクティブ化と非アクティブ化のいずれにも使用してよいと解釈してもよい。
【００９７】
マッピングをアクティブ化用と非アクティブ化用に個別に用意する場合において、ユーザ装置ＵＥが基地局ｅＮＢから、アクティブ化用に設定されたマッピングを指定して非アクティブ化の指示を受信する場合や、非アクティブ化用に設定されたマッピングを指定してアクティブ化の指示を受信する場合、これらの指示を無視することとしてもよい。
【００９８】
図２３は、基地局ｅＮＢからユーザ装置ＵＥに設定される複数マッピングの他の例を示す。図２３は、１つのセルが複数のＣＧにマッピングされる場合の例を示している。例えば、マッピング＃０において、セル＃０はＣＧ＃０とＣＧ＃１にマッピングされている。また、例えば、マッピング＃１において、セル＃０はＣＧ＃０とＣＧ＃２にマッピングされている。
【００９９】
上記のように、１つのセルが複数のＣＧにマッピングされる場合、例えば、当該セルは、所属するＣＧのいずれかに対してアクティブ化コマンドを受ける場合に、アクティブ化されることとしてよい。また、当該セルについて、所属する全てのＣＧに対して非アクティブ化コマンドを受ける場合に、非アクティブ化されることとしてもよい。
【０１００】
一例として、図２３に示すマッピングを示す情報がユーザ装置ＵＥに設定（記憶）されており、全てのセルが非アクティブである場合において、例えばユーザ装置ＵＥが基地局ｅＮＢからマッピング＃０とＣＧ＃０を指定したアクティブ化コマンドを受信した場合、セル＃０とセル＃１がアクティブ化される。
【０１０１】
また、図２３に示すマッピングを示す情報がユーザ装置ＵＥに設定（記憶）されており、全てのＣＧがアクティブである場合において、例えばユーザ装置ＵＥが基地局ｅＮＢからマッピング＃０とＣＧ＃０を指定した非アクティブ化コマンドを受信した場合、セル＃１は非アクティブ化してもよいが、セル＃０は非アクティブ化しない。マッピング＃０とＣＧ＃０及びＣＧ＃１を指定した非アクティブ化コマンドを受信した場合、セル＃０は非アクティブ化される。
【０１０２】
上記のアクティブ化コマンド受信時の動作と非アクティブ化コマンド受信時の動作は例であり、それぞれ他の動作も可能である。また、アクティブ化コマンド受信時の動作として上記の動作を行い、非アクティブ化コマンド受信時の動作として上記の動作と異なる動作を行ってもよいし、非アクティブ化コマンド受信時の動作として上記の動作を行い、アクティブ化コマンド受信時の動作として上記の動作と異なる動作を行ってもよい。
【０１０３】
＜装置構成例＞
図２４に、本実施の形態に係るユーザ装置ＵＥの機能構成図を示す。図２４に示すように、ユーザ装置ＵＥは、ＤＬ信号受信部３０１、ＵＬ信号送信部３０２、ＲＲＣ処理部３０３、マッピング管理部３０４、アクティブ化／非アクティブ化制御部３０５を含む。図２４は、ユーザ装置ＵＥにおいて本発明の実施の形態に特に関連する機能部のみを示すものであり、少なくともＬＴＥに準拠した動作を行うための図示しない機能も有するものである。また、図２４に示す機能構成は一例に過ぎない。本実施の形態に係る動作を実行できるのであれば、機能区分や機能部の名称はどのようなものでもよい。
【０１０４】
ＤＬ信号受信部３０１は、基地局ｅＮＢから各種の信号を無線受信し、受信した物理レイヤの信号からより上位のレイヤの信号を取得する機能を含む。ＵＬ信号送信部３０２は、ユーザ装置ＵＥから送信されるべき上位のレイヤの信号から、物理レイヤの各種信号を生成し、無線送信する機能を含む。ＤＬ信号受信部３０１及びＵＬ信号送信部３０２はそれぞれ、複数のＣＣを束ねて通信を行うＣＡを実行する機能を含む。
【０１０５】
ＤＬ信号受信部３０１とＵＬ信号送信部３０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【０１０６】
ＲＲＣ処理部３０３は、基地局ｅＮＢとの間でＲＲＣメッセージの送受信を行うとともに、ＣＡ情報の設定／変更／管理、構成変更等の処理を行う機能を含む。マッピング管理部３０４は、基地局ｅＮＢからＲＲＣメッセージで受信するマッピングの情報を管理（記憶）する機能部であり、例えば、図２１や図２３等に示した情報が記憶されている。なお、マッピング管理部３０４は、ＲＲＣ処理部３０３の中の一部の機能部としてもよい。
【０１０７】
なお、ＲＲＣ処理部３０３は、ＣＡの設定を行う機能部であるので、設定部と呼んでもよい。ＲＲＣ処理部３０３が行うＣＡの設定は、例えば、ＲＲＣメッセージに含まれる設定情報（マッピングインデックス毎のＣＧとそれに対応する複数セル等）をメモリ等の記憶手段（例：マッピング管理部３０４）に格納することを含む。
【０１０８】
アクティブ化／非アクティブ化制御部３０５は、図２０等を参照してユーザ装置ＵＥ側の動作として説明したように、特定のマッピング及び特定のＣＧを指定したアクティブ化（又は非アクティブ化）コマンドに基づき、マッピング管理部３０４を参照することにより、指定されたマッピングの指定されたＣＧ内のセルをアクティブ化（又は非アクティブ化）させる制御を実行する。例えば、アクティブ化／非アクティブ化制御部３０５（又はＲＲＣ処理部３０３）は、マッピング毎及びＣＧ毎に、セル毎にアクティブ化／非アクティブ化されているかどうかを示す情報をメモリ等の記憶手段に格納しており、これにより、アクティブ化／非アクティブ化制御部３０５は、現時点で各マッピングの各ＣＧの各セルの状態（アクティブ化／非アクティブ化）を把握できる。
【０１０９】
なお、ユーザ装置ＵＥにおいて、セルをアクティブ化するとは、例えば、ＤＬ信号受信部３０１及び／又はＵＬ信号送信部３０２に対して、当該セルを構成するＣＣを用いて通信を行う（例：ＰＤＣＣＨ、ＰＤＳＣＨの受信を行う）ことを指示するとともに、上記の記憶手段等に、該当セルがアクティブ化されたことを示す情報を記憶することである。セルを非アクティブ化するとは、当該セルを構成するＣＣを用いた通信を停止することを指示するとともに、上記の記憶手段等に、該当セルが非アクティブ化されたことを示す情報を記憶することである。
【０１１０】
アクティブ化／非アクティブ化制御部３０５は、第１の実施の形態で説明したアクティブ化／非アクティブ化制御部１０４の機能を含み、段階的制御を行うこととしてもよい。
【０１１１】
図２５に、本実施の形態に係る基地局ｅＮＢの機能構成図を示す。図２５に示すように、基地局ｅＮＢは、ＵＬ信号受信部４０１、ＤＬ信号送信部４０２、ＲＲＣ処理部４０３、マッピング管理部４０４、アクティブ化／非アクティブ化制御部４０５を含む。図２５は、基地局ｅＮＢにおいて本発明の実施の形態に特に関連する機能部のみを示すものであり、少なくともＬＴＥに準拠した動作を行うための図示しない機能も有するものである。また、図２５に示す機能構成は一例に過ぎない。本実施の形態に係る動作を実行できるのであれば、機能区分や機能部の名称はどのようなものでもよい。
【０１１２】
ＵＬ信号受信部４０１は、各ＵＥから各種の信号を無線受信し、受信した物理レイヤの信号からより上位のレイヤの信号を取得する機能を含む。ＤＬ信号送信部４０２は、基地局ｅＮＢから送信されるべき上位のレイヤの信号から、物理レイヤの各種信号を生成し、無線送信する機能を含む。ＵＬ信号受信部４０１及びＤＬ信号送信部４０２はそれぞれ、複数のＣＣを束ねて通信を行うＣＡを実行する機能を含む。また、ＵＬ信号受信部４０１及びＤＬ信号送信部４０２は、ＲＲＥのように、基地局ｅＮＢの本体（制御部）から遠隔に設置された無線通信部であってもよい。
【０１１３】
ＵＬ信号受信部４０１とＤＬ信号送信部４０２はそれぞれ、パケットバッファを備え、レイヤ１（ＰＨＹ）及びレイヤ２（ＭＡＣ、ＲＬＣ、ＰＤＣＰ）の処理を行うことを想定している（ただし、これに限られるわけではない）。
【０１１４】
ＲＲＣ処理部４０３は、ユーザ装置ＵＥとの間でＲＲＣメッセージの送受信を行うとともに、ＣＡの設定／変更／管理、構成変更等の処理を行う機能を含む。ＲＲＣ処理部４０３は、ＣＡの設定を行う機能部であるので、設定部と呼んでもよい。
【０１１５】
マッピング管理部４０４は、ユーザ装置ＵＥに設定したマッピングを示す情報を管理（記憶）する機能部であり、例えば、図２１や図２３等に示した情報が記憶されている。なお、マッピング管理部４０４は、ＲＲＣ処理部４０３の中の一部の機能部としてもよい。
【０１１６】
アクティブ化／非アクティブ化制御部４０５は、図２０等を参照して基地局ｅＮＢ側の動作として説明したように、特定のマッピング及び特定のＣＧを指定したアクティブ化（又は非アクティブ化）コマンドを、ＤＬ信号送信部４０２を介してユーザ装置ＵＥに送信する機能を含む。また、アクティブ化／非アクティブ化制御部４０５は、第１の実施の形態において説明した、段階的制御を行うか否かを指示する信号、順番を指定する情報等をユーザ装置ＵＥに送信する機能を更に含むこととしてもよい。
【０１１７】
以上説明したように、本発明の実施の形態によれば、キャリアアグリゲーションをサポートする移動通信システムにおいて基地局と通信を行うユーザ装置であって、前記基地局から受信するメッセージに基づいて、前記キャリアアグリゲーションにおけるセルとセルグループ間のマッピングを複数設定する設定部と、前記基地局から特定のマッピング及び特定のセルグループを指定したアクティブ化又は非アクティブ化のコマンドを受信した場合に、当該特定のマッピングにおける当該特定のセルグループに含まれるセルをアクティブ化又は非アクティブ化する制御部とを備えるユーザ装置が提供される。
【０１１８】
上記の構成により、キャリアアグリゲーションにおけるセルの制御指示をセルグループ単位で行う場合において、セルとセルグループ間のマッピングを柔軟に変更することが可能となる。
【０１１９】
前記制御部は、例えば、ＭＡＣ信号又は物理信号により、前記基地局から前記コマンドを受信する。この構成により、セルとセルグループ間のマッピングの変更を動的に行うことができる。
【０１２０】
前記設定部により設定される複数のマッピングには、アクティブ化用のマッピング又は非アクティブ化用のマッピングが含まれることとしてもよい。アクティブ化用のマッピング又は非アクティブ化用のマッピングを定めておくことで、例えば、特定のマッピングを指定することで暗黙的にアクティブ化又は非アクティブ化を指定できるため、効率的な制御を行うことが可能となる。
【０１２１】
前記設定部により設定される複数のマッピングのいずれか１つ又は複数のマッピングにおいて、１つのセルが複数のセルグループに属してもよく、その場合、前記制御部は、前記複数のセルグループにおけるいずれかのセルグループに対してアクティブ化コマンドを受信した場合に前記１つのセルをアクティブ化し、前記複数のセルグループにおける全てのセルグループに対して非アクティブ化コマンドを受信した場合に前記１つのセルを非アクティブ化する。この構成により、より柔軟な制御が可能となる。
【０１２２】
前記特定のマッピングにおける前記特定のセルグループには複数のセルが含まれており、前記制御部は、当該複数のセルを段階的にアクティブ化又は非アクティブ化することとしてもよい。この構成により、ユーザ装置におけるバッテリーの消費を削減することが可能となる。
【０１２３】
第１、第２の実施の形態で説明したユーザ装置ＵＥは、ＣＰＵとメモリを備え、プログラムがＣＰＵ（プロセッサ）により実行されることで実現される構成であってもよいし、第１、第２の実施の形態で説明する処理のロジックを備えたハードウェア回路等のハードウェアで実現される構成であってもよいし、プログラムとハードウェアが混在していてもよい。
【０１２４】
第１、第２の実施の形態で説明した基地局ｅＮＢは、ＣＰＵとメモリを備え、プログラムがＣＰＵ（プロセッサ）により実行されることで実現される構成であってもよいし、第１、第２の実施の形態で説明する処理のロジックを備えたハードウェア回路等のハードウェアで実現される構成であってもよいし、プログラムとハードウェアが混在していてもよい。
【０１２５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１２６】
本発明は上記実施形態に限定されず、本発明の精神から逸脱することなく、様々な変形例、修正例、代替例、置換例等が本発明に包含される。
【符号の説明】
【０１２７】
ＵＥ  ユーザ装置
ｅＮＢ  基地局
１０１  ＤＬ信号受信部
１０２  ＵＬ信号送信部
１０３  ＲＲＣ処理部
１０４  アクティブ化／非アクティブ化制御部
２０１  ＵＬ信号受信部
２０２  ＤＬ信号送信部
２０３  ＲＲＣ処理部
２０４  アクティブ化／非アクティブ化制御部
３０１  ＤＬ信号受信部
３０２  ＵＬ信号送信部
３０３  ＲＲＣ処理部
３０４  マッピング管理部
３０５  アクティブ化／非アクティブ化制御部
４０１  ＵＬ信号受信部
４０２  ＤＬ信号送信部
４０３  ＲＲＣ処理部
４０４  マッピング管理部
４０５  アクティブ化／非アクティブ化制御部
【図１】
2016123052.tif 000003
【図２】
2016123052.tif 000004
【図３】
2016123052.tif 000005
【図４】
2016123052.tif 000006
【図５】
2016123052.tif 000007
【図６】
2016123052.tif 000008
【図７】
2016123052.tif 000009
【図８】
2016123052.tif 000010
【図９】
2016123052.tif 000011
【図１０】
2016123052.tif 000012
【図１１】
2016123052.tif 000013
【図１２】
2016123052.tif 000014
【図１３】
2016123052.tif 000015
【図１４】
2016123052.tif 000016
【図１５】
2016123052.tif 000017
【図１６】
2016123052.tif 000018
【図１７】
2016123052.tif 000019
【図１８】
2016123052.tif 000020
【図１９】
2016123052.tif 000021
【図２０】
2016123052.tif 000022
【図２１】
2016123052.tif 000023
【図２２】
2016123052.tif 000024
【図２３】
2016123052.tif 000025
【図２４】
2016123052.tif 000026
【図２５】
2016123052.tif 000027